(57)【要約】【課題】受光装置に接続しなくても、電源の電圧低下を安全に確認できる光源装置を得る。【解決手段】光源装置が内視鏡本体に装着されると、接続確認スイッチ２４がオンにされる。すると、電源線から第４の抵抗４９を介して第２のＮＰＮトランジスタ４８のベースに電圧が印加され、第２の抵抗４２が接地される。そのため、第１の抵抗４７及び第２の抵抗４２の合成抵抗値と制御電圧端子４６ｅの電圧とにより、光源２８に流れる電流の値が決定される。第１の抵抗４７及び第２の抵抗４２の合成抵抗値は、第１の抵抗４７の値よりも小さい。そのため、接続確認スイッチ２４がオンであるときには、オフであるときよりも光源２８に流れる電流値が大きくなる。すなわち、光源２８は、接続確認スイッチ２４がオンであるときには、オフであるときよりも大きな光量で発光する。【選択図】図２
2011143114.tif 000002
【特許請求の範囲】
【請求項１】
電源から受けた電力を調整して出力する電力制御部と、
前記電力制御部からの電力により発光する発光部と、
前記発光部からの光を受光する受光装置との接続を検知する接続確認部と、
前記電力制御部に接続される電力調整部とを備え、
前記接続検知部は、前記受光装置の接続を検知したとき、前記電力調整部を接地し、
前記電力制御部は、前記電力調整部が接地されたとき、前記電力調整部を接地されないときよりも前記発光部の発光量が小さくなるように出力電力を調整する光源装置。
【請求項２】
前記電力制御部は、前記電力調整部が接地されたとき、前記電力調整部を接地されないときよりも出力電力の電流量を小さくする請求項１に記載の光源装置。
【請求項３】
前記電力制御部に電源を接続し、又は切り離す主電源スイッチをさらに備える請求項１または２に記載の光源装置。
【請求項４】
前記接続確認部は、前記受光装置が前記光源装置と接続されたときにオンになる接続検知スイッチと、前記受光装置が前記光源装置と接続されたときに前記電力調整部を接地する接地部とをさらに備え、
前記受光装置が前記光源装置と接続されたとき、電源から前記接地部に電力が流れ、これにより前記接地部がオンになって前記電力調整部を接地する請求項１から３のいずれかに記載の光源装置。
【請求項５】
前記電力制御部は定電流回路であり、前記電力調整部は抵抗器であり、前記接地部はＮＰＮトランジスタであり、前記接続検知スイッチは前記ＮＰＮトランジスタのベースに接続され、前記電力調整部は前記ＮＰＮトランジスタのコレクタに接続され、前記ＮＰＮトランジスタのエミッタは接地される請求項１から４のいずれかに記載の光源装置。
【請求項６】
前記発光部は、発光ダイオードから成る請求項１から５のいずれかに記載の光源装置。
【請求項７】
請求項１から６のいずれかに記載の光源装置と、受光装置としての内視鏡本体とを備える携帯用内視鏡装置。
【発明の詳細な説明】
【技術分野】
【０００１】
本発明は、照明光を受光する装置に接続され、その装置に照明光を提供する光源装置に関する。
【背景技術】
【０００２】
光源装置は、例えば携帯内視鏡の一部を構成し、内視鏡本体に接続される。電池の無駄な消耗を防ぐため、光源装置の主電源スイッチが投入され、かつ内視鏡本体が接続されたときにのみ照明光を照射する（特許文献１）。
【先行技術文献】
【特許文献】
【０００３】
【特許文献１】特開２００８−４３６６６号公報
【発明の概要】
【発明が解決しようとする課題】
【０００４】
このような光源装置では、電源電圧が低下すると使用を中止しなければならないため、ユーザは使用前に照明光を試験的に照射して、電源電圧が低下していないことを確認する必要がある。しかし、従来の構成では、光源装置の主電源スイッチが投入され、かつ内視鏡本体が接続されたときしか照明光を照射することができない。そのため、内視鏡本体がないときにユーザは電源電圧が低下していないことを確認することができず、光源装置の利便性が低下し、検査の手間が増える。
【０００５】
本発明はこれらの問題に鑑みてなされたものであり、受光装置に接続しなくても、電源の電圧低下を安全に確認できる光源装置を得ることを目的とする。
【課題を解決するための手段】
【０００６】
本願第１の発明による光源装置は、電源から受けた電力を調整して出力する電力制御部と、電力制御部からの電力により発光する発光部と、発光部からの光を受光する受光装置との接続を検知する接続確認部と、電力制御部に接続される電力調整部とを備え、接続検知部は、受光装置の接続を検知したとき、電力調整部を接地し、電力制御部は、電力調整部が接地されたとき、電力調整部を接地されないときよりも発光部の発光量が小さくなるように出力電力を調整することを特徴とする。
【０００７】
電力制御部は、電力調整部が接地されたとき、電力調整部を接地されないときよりも出力電力の電流量を小さくすることが好ましい。
【０００８】
電力制御部に電源を接続し、又は切り離す主電源スイッチをさらに備えることが好ましい。
【０００９】
接続確認部は、受光装置が光源装置と接続されたときにオンになる接続検知スイッチと、受光装置が光源装置と接続されたときに電力調整部を接地する接地部とをさらに備え、受光装置が光源装置と接続されたとき、電源から接地部に電力が流れ、これにより接地部がオンになって電力調整部を接地するものであればなお良い。
【００１０】
電力制御部は定電流回路、電力調整部は抵抗器、接地部はＮＰＮトランジスタが各々好適であり、接続検知スイッチはＮＰＮトランジスタのベースに接続され、電力調整部はＮＰＮトランジスタのコレクタに接続され、ＮＰＮトランジスタのエミッタは接地されることが好ましい。
【００１１】
発光部は、発光ダイオードが好適である。
【００１２】
本願第１の発明による携帯用内視鏡装置は、受光装置としての内視鏡本体と前記光源装置とを備えることを特徴とする。
【発明の効果】
【００１３】
本発明によれば、受光装置に接続しなくても、電源の電圧低下を安全に確認できる光源装置を得る。
【図面の簡単な説明】
【００１４】
【図１】本願発明による光源装置を備える内視鏡装置のブロック図である。
【図２】光源装置内部に設けられる回路の回路図である。
【発明を実施するための形態】
【００１５】
以下、本発明による光源装置１２について図１及び２を参照して説明する。
【００１６】
携帯用内視鏡１０は、内視鏡本体１１と光源装置１２とからなる。内視鏡本体１１は、操作部および該操作部から延出し体腔内に挿入される細径の挿入部から構成される。光源装置１２は内視鏡本体１１の操作部近傍の所定位置（後述の光源装置取付部１１Ａ）に着脱自在である。内視鏡本体１１内には、照明光を内視鏡先端にまで伝送するためのライトガイド１３と照明光により照明された内視鏡先端の映像を観察するためのイメージガイド１４が配設される。
【００１７】
ライトガイド１３の一端である入射端は、内視鏡本体１１の操作部近傍に位置し、その前方にはレンズ１５が設けられる。装着された光源装置１２からの光は、レンズ１５を通してライトガイド１３の入射端に集光され入射される。ライトガイド１３の他端である射出端は、内視鏡挿入部の先端に配置され、入射された光はライトガイド１３内を伝搬されて他端である射出端からレンズ１６を通して照射される。
【００１８】
また、イメージガイド１４の一端は、内視鏡挿入部の先端に配置され、ライトガイド１３からの照明光は、観察対象物で反射され対物レンズ１７を通してイメージガイド１４に入射される。イメージガイド１４の他端は接眼レンズ１８の近傍に配置され、イメージガイド１４を通して伝送された光学像は、接眼レンズ１８を通して観察される。
【００１９】
内視鏡本体１１の操作部には、光源装置１２を装着するための光源装置取付部１１Ａが設けられる。光源装置取付部１１Ａの円筒中央には、円筒軸に沿った円筒形の窪部１１Ｒが形成され、その底面にレンズ１５が配置される。窪部１１Ｒには、後述するように光源装置１２の光源部１２Ｌが挿入される。
【００２０】
光源装置１２の筐体１２Ｃ内には、例えば電池である電源１９が装填される。電源１９の正極は例えば接点２０に電気的に接続され、接点２０は主電源スイッチ２１の一方の端子に接続される。また、主電源スイッチ２１の他方の端子は光源用回路基板２２に接続される。一方、電源１９の負極は例えば接点２３に電気的に接続され、接点２３はグラウンド及び光源用回路基板２２に接続される。
【００２１】
ピン２５の先端は、モメンタリスイッチ２７が有するスプリングなどの付勢部材により光源装置１２の筐体１２Ｃの外部へと押し出されているが、その先端が付勢部材の付勢力に抗して押し戻されるとピン２５は筐体１２Ｃ内に向けて引っ込められる。ピン２５が所定値以上引っ込められると、モメンタリスイッチ２７がオンとなる。
【００２２】
光源用回路基板２２には、例えばＬＥＤなどの光源２８が取り付けられる。光源２８は、光源用回路基板２２に設けられた光源駆動回路３０によりその点灯が駆動制御され、光源２８から照射された光は照明用レンズ２９を介して射出される。また、光源用回路基板２２の光源駆動回路３０は、光源装置１２の筐体１２Ｃに接地される。
【００２３】
光源装置１２の筐体１２Ｃは円筒形であって、窪部１１Ｒに対応する円筒形状の光源部１２Ｌが一体的に形成される。円筒形の光源部１２Ｌには光源２８および照明用レンズ２９が納められ、光源２８および照明用レンズ２９が筐体１２Ｃの円筒軸に沿って延出する。また、光源部１２Ｌの根本部付近には、接続確認スイッチ２４が設けられる。接続確認スイッチ２４は、そのピン２５の軸が筐体１２Ｃの円筒軸に平行になるように配置される。
【００２４】
接続確認スイッチ２４は、棒状のピン２５と、ピン２５によって押圧されるモメンタリスイッチ２７とから構成される。ピン２５の一端は光源装置１２の筐体１２Ｃ内に配置されるが、他端は筐体１２Ｃの外へ突出する。ピン２５は絶縁部材２６内において軸方向に摺動自在である。
【００２５】
光源装置１２を内視鏡本体１１へ取り付ける際には、光源部１２Ｌが光源装置取付部１１Ａの窪部１１Ｒに挿入される。
【００２６】
次に、光源駆動回路３０について説明する。
【００２７】
光源駆動回路３０は、例えばＬＥＤである光源２８と、電力制御部である定電流回路部３５と、内視鏡本体１１の接続を検知する接続確認部３６とを主に備える。
【００２８】
電源１９の正極は主電源スイッチ２１の一端に接続され、負極は接地される。主電源スイッチ２１の他端は電源線に接続される。
【００２９】
定電流回路部３５は、ＬＥＤドライバ４６と第１の抵抗４７とを有し、電源線からの電圧を用いて定電流を生成する。
【００３０】
ＬＥＤドライバ４６は、電源線に接続される電源入力端子４６ａ、第２の制御端子４６ｂ、グラウンドに接続される第２の接地端子４６ｃ、並びに電力供給部を成す駆動電圧端子４６ｄ及び制御電圧端子４６ｅを有する。第２の制御端子４６ｂに印加される電圧が第２の接地端子４６ｃと略同じ値となったとき、ＬＥＤドライバ４６が動作する。ＬＥＤドライバ４６は、駆動電圧端子４６ｄ及び制御電圧端子４６ｅとの間に光源２８が発光するに必要かつ十分な電圧を生じさせる。
【００３１】
光源２８のアノードは駆動電圧端子４６ｄに接続され、カソードは制御電圧端子４６ｅに接続される。そして、光源２８のカソードとグラウンドとの間に第１の抵抗４７が接続される。第１の抵抗４７の値と制御電圧端子４６ｅの電圧とにより、光源２８に流れる電流の値が決定される。光源２８の動作電圧は光源２８の温度等により変化する。そこで、ＬＥＤドライバ４６は、光源２８に流れる電流値を一定に保つために、駆動電圧端子４６ｄと制御電圧端子４６ｅとの間の電圧を調整する。
【００３２】
第２の制御端子４６ｂと電源線との間に、第３の抵抗４４及び第１のＮＰＮトランジスタ４５が設けられる。第３の抵抗４４は、第１のＮＰＮトランジスタ４５のベースと電源線に接続される。第１のＮＰＮトランジスタ４５のコレクタは第２の制御端子４６ｂに接続され、エミッタは接地される。電源線から第３の抵抗４４に電圧が加えられると、第１のＮＰＮトランジスタ４５のコレクタ−エミッタ間が導通し、第２の制御端子４６ｂが接地される。
【００３３】
制御電圧端子４６ｅには、電力調整部である第２の抵抗４２の一端が接続される。第２の抵抗４２の他端には、接続確認部３６が接続される。
【００３４】
接続確認部３６は、光源装置１２に内視鏡本体１１が接続されたか否かを確認するものであり、接続確認スイッチ２４と、第４の抵抗４９と、接地部である第２のＮＰＮトランジスタ４８とを有する。
【００３５】
接続確認スイッチ２４は電源線にその一端が接続され、他端が第４の抵抗４９に接続される。第４の抵抗４９は、一端が第２のＮＰＮトランジスタ４８のベースに接続される。第２のＮＰＮトランジスタ４８のコレクタは、第２の抵抗４２と接続され、エミッタは接地される。接続確認スイッチ２４がオンになると、電源線から第４の抵抗４９を介して第２のＮＰＮトランジスタ４８のベースに電圧が加えられ、第２のＮＰＮトランジスタ４８のコレクタ−エミッタ間が導通し、第２の抵抗４２が接地される。すなわち、内視鏡本体１１が光源装置１２に接続されているとき、つまり接続確認スイッチ２４がオンになっているとき、第１の抵抗４７及び第２の抵抗４２の合成抵抗値と制御電圧端子４６ｅの電圧とにより、光源２８に流れる電流の値が決定される。ここで、第１の抵抗４７の抵抗値をＲ１、第２の抵抗４２の抵抗値をＲ２、制御電圧端子４６ｅの電圧をＶｉとすると、光源２８に流れる電流の値Ｉｉは以下の式により決定される。
Ｉｉ＝Ｖｉ（Ｒ１＋Ｒ２）／（Ｒ１・Ｒ２）
【００３６】
一方、内視鏡本体１１が光源装置１２に接続されていないとき、つまり接続確認スイッチ２４がオフになっているとき、第１の抵抗４７の抵抗値と制御電圧端子４６ｅの電圧とにより、光源２８に流れる電流の値が決定される。このとき、光源２８に流れる電流の値Ｉｊは以下の式により決定される。
Ｉｊ＝Ｖｉ／Ｒ１
【００３７】
次に、主電源スイッチ２１が投入され、かつ内視鏡本体１１が接続されていないときの光源装置１２の動作について説明する。
【００３８】
主電源スイッチ２１が投入されると、電源１９から電源線に電力が供給される。電力は、第３の抵抗４４を介して第１のＮＰＮトランジスタ４５のベースに伝えられ、ベース電圧が所定値まで上昇して、第２の制御端子４６ｂが接地される。これにより、ＬＥＤドライバ４６は動作を開始して、駆動電圧端子４６ｄと制御電圧端子４６ｅとの間に電圧差を生じさせる。このとき、内視鏡本体１１が光源装置１２に接続されていないため、接続確認スイッチ２４はオフである。そのため、第２の抵抗４２は接地されない。よって、第１の抵抗４７の値と制御電圧端子４６ｅの電圧とにより光源２８に流れる電流の値が決定され、光源２８はこの電流値に応じた光量で発光する。
【００３９】
すなわち、光源装置１２に電池残量の警告手段を設けずとも、そして内視鏡本体１１を接続せずとも、光源装置１２単体で電池残量を確認できる。また、光源装置１２は、内視鏡本体１１と接続されていないときには、接続されているときよりも小さな光量で発光するため、ユーザは電池の消耗を抑えながら電池残量を確認でき、かつユーザが光源２８からの光によりユーザが不快感を持つこともない。
【００４０】
一方、光源装置１２が内視鏡本体１１に装着されると、ピン２５はモメンタリスイッチ２７を押圧し、モメンタリスイッチ２７がオンに、すなわち接続確認スイッチ２４がオンにされる。すると、電源線から第４の抵抗４９を介して第２のＮＰＮトランジスタ４８のベースに電圧が印加され、第２の抵抗４２が接地される。そのため、第１の抵抗４７及び第２の抵抗４２の合成抵抗値と制御電圧端子４６ｅの電圧とにより、光源２８に流れる電流の値が決定される。第１の抵抗４７及び第２の抵抗４２の合成抵抗値は、第１の抵抗４７の値よりも小さい。そのため、接続確認スイッチ２４がオンであるときには、オフであるときよりも光源２８に流れる電流値が大きくなる。すなわち、光源２８は、接続確認スイッチ２４がオンであるときには、オフであるときよりも大きな光量で発光する。
【００４１】
本実施形態によれば、光源装置１２に内視鏡本体１１を接続することなく、光源装置１２単体で電池残量を確認できる。また、光源装置１２に内視鏡本体１１が接続されていないときには、接続されているときよりも小さな光量で発光するため、ユーザが光源２８からの光により目を痛める危険性はない。そして、小さな光量で電池残量を確認できるため、電池の消耗を抑えることができる。
【００４２】
なお、光源２８はＬＥＤでなくても良い。
【００４３】
また、光源装置１２に接続する装置は内視鏡本体１１に限定されない。
【符号の説明】
【００４４】
１０  携帯用内視鏡
１１  内視鏡本体
１１Ａ  光源装置取付部
１１Ｒ  窪部
１２  光源装置
１２Ｃ  筐体
１２Ｌ  光源部
１３  ライトガイド
１４  イメージガイド
１５  レンズ
１６  レンズ
１７  対物レンズ
１８  接眼レンズ
１９  電源
２０  接点
２１  主電源スイッチ
２２  光源用回路基板
２３  接点
２４  接続確認スイッチ
２５  ピン
２６  絶縁部材
２７  モメンタリスイッチ
２８  光源
２９  照明用レンズ
３０  光源駆動回路
３５  定電流回路部
３６  接続確認部
４０  警告用ＬＥＤ
４２  第２の抵抗
４４  第３の抵抗
４５  第１のＮＰＮトランジスタ
４６  ＬＥＤドライバ
４６ａ  電源入力端子
４６ｂ  第２の制御端子
４６ｃ  第２の接地端子
４６ｄ  駆動電圧端子
４６ｅ  制御電圧端子
４７  第１の抵抗
４８  第２のＮＰＮトランジスタ
４９  第４の抵抗
【図１】
2011143114.tif 000003
【図２】
2011143114.tif 000004